(57)【特許請求の範囲】
【請求項１】
シリンダヘッドのシリンダヘッドカバーとの合せ面にカム軸軸受孔を加工形成するための加工用凹部が形成され、
前記シリンダヘッドカバーと前記シリンダヘッドとの間に介装されるヘッドカバーガスケットに前記加工用凹部に嵌合されるプラグ部が一体に形成され、
シリンダと前記シリンダヘッドを囲繞して冷却風を案内するシュラウドが、前記シリンダヘッドにより貫通されるヘッド貫通開口部と前記シリンダヘッドの合せ面近傍の外周面との間に環状弾性部材を介装して設けられる強制空冷式内燃機関において、
前記環状弾性部材は、前記シリンダヘッドの合せ面近傍の外周面に周設され、前記加工用凹部に対応する部分の内周面側が切欠かれて前記加工用凹部に対向する側に切欠き凹部を有する薄肉部が形成されることを特徴とする強制空冷式内燃機関。
【請求項２】
前記環状弾性部材の切欠き凹部は両側から中央に向かって切欠き幅が狭くなるように形成されることを特徴とする請求項１記載の強制空冷式内燃機関。
【請求項３】
前記環状弾性部材の前記切欠き凹部の両側部分は、内周面が両端から前記切欠き凹部に近づくに従って内側に膨出して徐々に肉厚が厚くなるように形成されることを特徴とする請求項１または請求項２記載の強制空冷式内燃機関。
【発明の詳細な説明】
【技術分野】
【０００１】
本発明は、クランク軸の回転により駆動する冷却ファンによりシリンダおよびシリンダヘッドを冷却する強制空冷式内燃機関（空冷・水冷兼用型内燃機関を含む）に関する。
【背景技術】
【０００２】
この種の内燃機関には、シリンダおよびシリンダヘッドを囲繞するシュラウドを有し、クランク軸と直結された冷却ファンにより外部から吸入された冷却風をシュラウドがシリンダおよびシリンダヘッドに案内して効率良くシリンダおよびシリンダヘッドを冷却する構造が既に採用されている（例えば、特許文献１参照）。
【０００３】
シリンダヘッドの周囲を覆うシュラウドのヘッド貫通開口部をシリンダヘッドが貫通しており、このシュラウドのヘッド貫通開口部とシリンダヘッドとの間に環状弾性部材を介装してシールしヘッド貫通開口部からできるだけ無駄に冷却風が抜けないようにしてシリンダおよびシリンダヘッドを万遍なく冷却するするとともに、振動によるガタつきおよび異音の発生を防止している。
【０００４】
一方で、シリンダヘッドのシリンダヘッドカバーとの合せ面にカム軸軸受孔を加工形成するための加工用凹部が形成され、シリンダヘッドとシリンダヘッドカバーとの間に介装される環状のヘッドカバーガスケットにシリンダヘッドの合せ面の前記加工用凹部を塞ぐプラグ部が突出形成された構造の内燃機関がある（例えば、特許文献２参照）。
【０００５】
ヘッドカバーガスケットは、シリンダヘッドカバーの合せ面に形成された溝に嵌合されてシリンダヘッドカバーに一体に取り付けられた状態で、シリンダヘッドの合せ面に当接され、プラグ部は凹部に嵌合して挟まれシリンダヘッドにシリンダヘッドカバーが組付けられる。
【０００６】
【特許文献１】特開平７−２５３０１９号公報
【特許文献２】特開２００３−３４３３７２号公報
【発明の開示】
【発明が解決しようとする課題】
【０００７】
特許文献２に開示されたように、ヘッドカバーガスケットにプラグ部が突出形成されていると、シリンダヘッドの合せ面の凹部を塞ぐプラグ部の外面に沿って環状弾性部材が配設されることになる。
【０００８】
したがって、組立時やメンテナンス時などで、シュラウドをシリンダヘッドに取り付けたまま、シリンダヘッドカバーを組付けようとすると、弾性体である環状弾性部材がシリンダヘッドの合せ面の加工用凹部に外側から接して、場合によってはシュラウドのヘッド貫通開口部の締め付けによって加工用凹部に入り込んでいる可能性がある。
【０００９】
そのため、ヘッドカバーガスケットが合せ面に一体に嵌合されたシリンダヘッドカバーをシリンダヘッドに組付けるに際して、シリンダヘッドの合せ面の加工用凹部に接したり入り込んだ環状弾性部材が邪魔になってヘッドカバーガスケットのプラグ部を加工用凹部に嵌合するのが簡単ではなくシリンダヘッドカバーの組付けが困難となっていた。
【００１０】
本発明は、かかる点に鑑みなされたもので、その目的とする処は、ヘッドカバーガスケットのプラグ部が環状弾性部材に邪魔されずにシリンダヘッドの合せ面の加工用凹部に嵌合でき、シリンダヘッドカバーをシリンダヘッドに容易に組付けることができる強制空冷式内燃機関を供する点にある。
【課題を解決するための手段】
【００１１】
上記目的を達成するために、請求項１記載の発明は、シリンダヘッドのシリンダヘッドカバーとの合せ面にカム軸軸受孔を加工形成するための加工用凹部が形成され、前記シリンダヘッドカバーと前記シリンダヘッドとの間に介装されるヘッドカバーガスケットに前記加工用凹部に嵌合されるプラグ部が一体に形成され、シリンダと前記シリンダヘッドを囲繞して冷却風を案内するシュラウドが、前記シリンダヘッドにより貫通されるヘッド貫通開口部と前記シリンダヘッドの合せ面近傍の外周面との間に環状弾性部材を介装して設けられる強制空冷式内燃機関において、前記環状弾性部材は、前記シリンダヘッドの合せ面近傍の外周面に周設され、前記加工用凹部に対応する部分の内周面側が切欠かれて前記加工用凹部に対向する側に切欠き凹部を有する薄肉部が形成される強制空冷式内燃機関とした。
【００１２】
請求項２記載の発明は、請求項１記載の強制空冷式内燃機関において、前記環状弾性部材の切欠き凹部は両側から中央に向かって切欠き幅が狭くなるように形成されることを特徴とする。
【００１３】
請求項３記載の発明は、請求項１または請求項２記載の強制空冷式内燃機関において、前記環状弾性部材の前記切欠き凹部の両側部分は、内周面が両端から前記切欠き凹部に近づくに従って内側に膨出して徐々に肉厚が厚くなるように形成されることを特徴とする。
【発明の効果】
【００１４】
請求項１記載の強制空冷式内燃機関によれば、環状弾性部材がシリンダヘッドの合せ面近傍の外周面に周設されると、シリンダヘッドの合せ面の加工用凹部に対向して環状弾性部材の切欠き凹部が位置するので、環状弾性部材の薄肉部が加工用凹部から離れて加工用凹部に接したり入り込んだりしないため、ヘッドカバーガスケットのプラグ部が環状弾性部材に邪魔されずにシリンダヘッドの合せ面の加工用凹部に嵌合でき、シリンダヘッドカバーをシリンダヘッドに容易に組付けることができる。
【００１５】
請求項２記載の強制空冷式内燃機関によれば、環状弾性部材の切欠き凹部は両側から中央に向かって切欠き幅が狭くなるように形成されるので、環状弾性部材に外力が加わっても、常に薄肉部の中央を加工用凹部から離れる外側に移動するように変形し、ヘッドカバーガスケットのプラグ部のシリンダヘッドの加工用凹部への嵌合に影響を与えることを回避できる。
【００１６】
請求項３記載の強制空冷式内燃機関によれば、環状弾性部材の切欠き凹部の両側部分は、内周面が両端から切欠き凹部に近づくに従って内側に膨出して徐々に肉厚が厚くなるように形成されているので、環状弾性部材をシリンダヘッドの合せ面近傍の外周面に周設したとき、環状弾性部材の切欠き凹部の両側部分は内側への膨出部により外側へ拡がり、薄肉部がシリンダヘッドの合せ面の加工用凹部からさらに遠ざかり、ヘッドカバーガスケットのプラグ部の加工用凹部への嵌合を邪魔することは確実に防止される。
【発明を実施するための最良の形態】
【００１７】
以下、本発明に係る一実施の形態について図１ないし図１５に基づいて説明する。
本実施の形態に係る内燃機関30は、自動二輪車にスイング式のパワーユニット10として搭載される。
なお、本明細書では、自動二輪車の前進方向を前方として車体を基準に前後左右を決めることとする。
【００１８】
パワーユニット10の側面図を図１に示す。
パワーユニット10には、その前部に単気筒４ストロークの強制空冷式内燃機関30が、シリンダ32，シリンダヘッド33を略水平に近い状態にまで大きく前傾した姿勢で設けられ、該内燃機関30から後方にかけてベルト式無段変速機35が構成され、その後部に設けられた減速機構38に後輪（図示せず）が軸支される。
【００１９】
パワーユニット10の上部には、内燃機関30のシリンダヘッド33の上部から延出した吸気管23に接続された気化器24および同気化器24に連結されるエアクリーナ25が配設されている。
【００２０】
図２は、パワーユニット10の前側部分の断面図（図１のII-II線断面図）である。
ユニットケース31は、左右割りの左ユニットケース31Ｌと右ユニットケース31Ｒとを合体して構成されるもので、右ユニットケース31Ｒは、クランクケース部の半体をなし、左ユニットケース31Ｌは、前後に長尺で前部のクランクケース部31ａ，中央の伝動ケース部31ｂ，後部の減速機ケース部31ｃからなる（図１参照）。
【００２１】
この左ユニットケース31Ｌの左側開放面は、伝動ケースの一部である伝動ケースカバー36により覆われ、内部にベルト式無段変速機35が収納され、後方の減速機ケース部31ｃの右側開放面は減速機ケースにより覆われ、内部に減速機構38が収納される。
【００２２】
クランクケース部31ａと右ユニットケース31Ｒのいわゆるクランクケース内には、クランク軸40が左右の主ベアリング41，41に回転自在に支持されており、シリンダ32のシリンダライナ44内を往復動するピストン42とクランク軸40のクランクピン40ａとをコネクティングロッド43が連結している。
クランク軸40の左右水平方向に延びた延出部のうち右延出部にはＡＣジェネレータ60が設けられ、左延出部にはカムチェーン駆動スプロケット55とベルト式無段変速機35のベルト駆動プーリ76が設けられる。
【００２３】
右ユニットケース31Ｒの右側面に設けられるＡＣジェネレータ60は、右ユニットケース31Ｒの中央円筒部31ｄより突出するクランク軸40の端部にＡＣＧボス61を介して碗状のアウタロータ62が固着され、その内周面に周方向に亘って配設される磁石63の内側にステータコイル65の巻回されたステータ64が中央円筒部31ｄに固定されている。
【００２４】
アウタロータ62の右側面には強制空冷ファン66が取り付けられ、その側方をファンカバー67が覆い、同ファンカバー67に連接されてシリンダ32およびシリンダヘッド33の周囲を覆うシュラウド68が設けられる。
【００２５】
他方、クランク軸40の左端部のベルト駆動プーリ76は、固定側プーリ半体77と可動側プーリ半体78とからなり、固定側プーリ半体77は、クランク軸40の左端部にスプライン嵌合しボス79を介して固着され、その右側に可動側プーリ半体78がクランク軸40にボスを介して軸支され、同可動側プーリ半体78は軸方向に摺動して固定側プーリ半体77に接近・離反することができ、両プーリ半体77，78間にＶベルト75が挟まれて巻き掛けられる。
【００２６】
可動側プーリ半体78の右側で円環状シール部材72に近接した固定位置にカムプレート80が設けられており、その外周端に設けたスライドピース80ａが可動側プーリ半体78の外周端に軸方向に形成したカムプレート摺動ボス部78ａに摺動自在に係合している。
可動側プーリ半体78のカムプレート80側側面は、カムプレート80側に向けてテーパしており、同テーパ面内側にカムプレート80に挟まれてドライウェイトローラ81が収容されている。
【００２７】
したがってクランク軸40の回転速度が増加すると、可動側プーリ半体78とカムプレート80間にあって共に回転するドライウェイトローラ81が、遠心力により遠心方向に移動し、可動側プーリ半体78は同ドライウェイトローラ81に押圧されて左方に移動して固定側プーリ半体77に接近し、両プーリ半体77，78間に挟まれたＶベルト75を遠心方向に移動させ巻き掛け径を大きくするように構成されている。
【００２８】
なお、図２を参照して、固定側プーリ半体77には冷却ファンプレート118がクランク軸４0にスプライン嵌合しつつ取り付けられており、同冷却ファン118に対向して伝動ケースカバー36の前部にケース吸風口36ｃが形成され、ケース吸風口36ｃに連通する外気導入ダクト150が伝動ケースカバー36の前部に取り付けられる。
外気導入ダクト150は、伝動ケースカバー36の前部側面を上方に延出して、上部に外気導入口154を有する（図１参照）。
【００２９】
ベルト式無段変速機35の固定側プーリ半体77に取り付けられた冷却ファンプレート118の回転により、外気導入ダクト150の外気導入口154から外気通路160を介して外気をケース吸風口36ｃに導入して冷却風としてベルト式無段変速機室内に吸い込み、冷却風はベルト式無段変速機35を冷却し、ケース排風ダクト36ｄより外部に排出される（図１参照）。
【００３０】
図４および図５を参照して、シリンダ32に重ねて締結されるシリンダヘッド33は、さらにその上に被せられるシリンダヘッドカバー34との合せ面33ｓが略矩形環状をなし、その内側においてピストン42の頂面が対向する燃焼室46の天井壁部分が大きく膨出して左右対をなす膨出壁33ＢL，33ＢRが、互いに対向して形成されている（図２参照）。
【００３１】
該膨出壁33ＢL，33ＢRは、合せ面33ｓよりも大きく突出しており、この左右の膨出壁33ＢL，33ＢRにＳＯＨＣ型式のバルブシステムからなる動弁機構50が設けられる。
シリンダヘッド33は水平に近い状態にまで大きく前傾しているので、左右の膨出壁33ＢL，33ＢRは、合せ面33ｓより前方に突出しており、その左右の膨出壁33ＢL，33ＢRに合せ面33ｓと同一面位置にカム軸軸受孔33ｃL，33ｃRが同軸に穿設されるとともに、その斜め前方上下にロッカアーム軸軸受孔33iL，33iRおよびロッカアーム軸軸受孔33eL，33eRがそれぞれ同軸に穿設されており、これら軸受孔33ｃL，33ｃR，33iL，33iR，33eL，33eRは、全て左右水平方向に指向して形成されている。
【００３２】
そして、シリンダヘッド33の左側壁と左側膨出壁33ＢLとの間にカムチェーン室52が形成されている（図４参照）。
このカムチェーン室52を隔てた左側膨出壁33ＢLに対向するシリンダヘッド33の左側壁には、カム軸軸受孔33ｃLの中心軸が合せ面33ｓと同一面にあるので、カム軸軸受孔33ｃLに対向する半円形部分が欠損して合せ面33ｓにカム軸軸受孔を加工するための半円弧状の加工用凹部33ｖが形成されている（図４，図５参照）。
【００３３】
左右膨出壁33ＢL，33ＢRのカム軸軸受孔33ｃL，33ｃRにベアリング53ｂL，53ｂRを介してカムシャフト53が回転自在に左右水平方向に指向して架設され、カムシャフト53のカムチェーン室52に突出した左端部に被動スプロケット54が嵌着されている。
一方、クランク軸40に嵌着された駆動スプロケット55と上記被動スプロケット54との間にカムチェーン51が、クランクケース部31ａ，シリンダ32，シリンダヘッド33に連通して設けられるカムチェーン室52を貫通して架渡されて、クランク軸40の回転が半分の回転速度でカムシャフト53に伝達される。
【００３４】
左右膨出壁33Ｂ，33Ｂの上側のロッカアーム軸軸受孔33i，33iには、吸気ロッカシャフト58ｉが架設され、下側のロッカアーム軸軸受孔には、排気ロッカシャフト58ｅが架設され、同吸気ロッカシャフト58ｉと排気ロッカシャフト58ｅは、カムシャフト53と平行で左右水平方向に指向している。
【００３５】
図３および図１１を参照して、吸気ロッカシャフト58ｉには吸気ロッカアーム59ｉが揺動自在に枢着され、排気ロッカシャフト58ｅには排気ロッカアーム59ｅが揺動自在に枢着されている。
一方の吸気ロッカアーム59ｉは、一端のローラ59irがカムシャフト53の吸気カムロブに接し、他端がカムシャフト53の上方に位置する吸気バルブ56のバルブステム頭部に接する。
他方の排気ロッカアーム59ｅは、一端のローラ59erがカムシャフト53の排気カムロブに接し、他端がカムシャフト53の下方に位置する排気バルブ57のバルブステム頭部に接する。
【００３６】
したがって、本動弁機構50は、クランク軸40の回転と同期したカムシャフト53の回転が吸気ロッカアーム59ｉと排気ロッカアーム59ｅを揺動して、所定のタイミングで吸気バルブ56が燃焼室46の吸気ポート開口を開閉し、排気バルブ57が燃焼室46の排気ポート開口を開閉する。
なお、シリンダヘッド33においてカムチェーン室52と反対側（右側）から燃焼室46に向かって斜めに点火プラグ45が嵌入されている。
【００３７】
以上のような動弁機構50を覆うシリンダヘッドカバー34は、矩形の椀状をしており、図１５に示すように、シリンダヘッド33との略矩形環状をした合せ面34ｓには、溝条34svが形成されていて、略矩形環状をなすヘッドカバーガスケット47がその突条47ｒにおいて嵌合されて、同ヘッドカバーガスケット47を介してシリンダヘッド33にシリンダヘッドカバー34が結合され締結される。
【００３８】
シリンダヘッド33側の合せ面33ｓには、前記したように、半円弧状の加工用凹部33ｖが左側壁に形成されているので、この加工用凹部33ｖに嵌合して閉塞する半円弧状のプラグ部47ｐがヘッドカバーガスケット47に一体に突出形成されている（図１４，図１５参照）。
【００３９】
図１４および図１５図に示すように、略矩形環状をなすヘッドカバーガスケット47における左側辺に突出したプラグ部47ｐは、半円形筒部47psの内端が開口し、外端開口が半円形壁部47pwで閉塞された器形状をしており、その半円形壁部47pwの底面および半円形筒部47psの内周面に接するように同形の金属器48が嵌合して形状を維持するようにしている。
半円形筒部47psの内外端にはフランジ47pf，47pfが突出形成されている。
【００４０】
したがって、ヘッドカバーガスケット47がシリンダヘッド33とシリンダヘッドカバー34の互いの合せ面33ｓ，34ｓに挟まれると、ヘッドカバーガスケット47のプラグ部47ｐは、シリンダヘッド33側の合せ面33ｓに形成された半円弧状の加工用凹部33ｖに嵌合して加工用凹部33ｖを閉塞する。
【００４１】
一方、シリンダ32およびシリンダヘッド33を囲繞する前記シュラウド68は、上下半割りに分割された上側シュラウド68Ｕと下側シュラウド68Ｌからなり、上下シュラウド68Ｕ，68Ｌは、シリンダヘッド33により貫通されるヘッド貫通開口部68Ｕp，68Ｌpがシリンダヘッド33の合せ面33ｓ近傍の外周面との間にゴム製の環状弾性部材95を挟みつけるようにして介装して設けられる。
【００４２】
図４に図示するように、シリンダヘッド33の合せ面33ｓ近傍の外周面に周方向にリブ33ｒが上下に分かれて突出形成されている。
上下のリブ33ｒ，33ｒは、シリンダヘッド33の合せ面33ｓに沿った外周面から外側に突出しており、左端（図４では右端）が直角に屈曲し、右側（図４では左側）部は円弧状に湾曲して右側面に回り込んだ所まで延びている。
【００４３】
概ね矩形環状をなす環状弾性部材95は、図６ないし図１０に図示するように、上下側辺から右側辺（図６では左側辺）にかけて、リブ33ｒに嵌合するように断面Ｕ字状をなし（図７参照）、右側辺の中央部95ｒが上下のリブ33ｒ，33ｒの右側部の上下端部間に嵌合するように内側に膨出しており（図８参照）、左側辺は、中実で上下対称な形状をしており、その左側辺の中央部が内面を切欠かれて内側に開いた切欠き凹部95ｈを有する薄肉部95lcに形成され（図９参照）、同左側中央の薄肉部95lcの上下の左側上部95lu，左側下部95llは上下屈曲部から中央の切欠き凹部95ｈに向かって内側に徐々に膨出して肉厚が徐々に厚く形成されている（図６，図１０参照）。
そして、薄肉部95lcの内側の切欠き凹部95ｈは、上下両側から中央に向かって切欠き幅ｗが狭くなるように傾斜面95ｓ，95ｓが形成されている。
【００４４】
該環状弾性部材95を、伸長して張力を発生した状態でシリンダヘッド33の上下のリブ33ｒ，33ｒに係合してシリンダヘッド33の合せ面33ｓの近傍の外周面に周設する。
図１１を参照して、環状弾性部材95の断面Ｕ字状をなす上下側辺から右側辺にかけての部分がリブ33ｒに嵌合して環状弾性部材95がシリンダヘッド33の外周面に周設されると、環状弾性部材95の上下屈曲部から左側中央の薄肉部95lcに向かって内側に徐々に膨出した左側上部95luと左側下部95llがシリンダヘッド33の左外側面に当接して外側に開くように広がり、よって環状弾性部材95の左側中央の薄肉部95lcが、シリンダヘッド33の左外側面から外側に離れる。
【００４５】
したがって、環状弾性部材95は、左側中央の薄肉部95lcの内側に元々形成されていた切欠き凹部95ｈが、シリンダヘッド33の左外側面の半円弧状の加工用凹部33ｖの外側に位置することになり（図１１参照）、加工用凹部33ｖの外側に空間が形成される。
【００４６】
このようにシリンダヘッド33の合せ面33ｓ近傍の外周面に環状弾性部材95が周設された状態で、シリンダ32およびシリンダヘッド33の周囲を覆う上側シュラウド68Ｕと下側シュラウド68Ｌが被せられる。
上下シュラウド68Ｕ，68Ｌのシリンダヘッド33により貫通されるヘッド貫通開口部68Ｕp，68Ｌpは環状弾性部材95に外側から嵌合する断面Ｕ字状に形成されている（図３参照）。
【００４７】
図１２は、シリンダ32およびシリンダヘッド33に上側シュラウド68Ｕと下側シュラウド68Ｌが上下から被せられた状態を前面から視た前面図であり、シリンダヘッドカバー34が取り付けられる前の状態である。
【００４８】
上下シュラウド68Ｕ，68Ｌの割り面は、略上下中央位置にあり、上側シュラウド68Ｕと下側シュラウド68Ｌを上下から被せるとき、ヘッド貫通開口部68Ｕp，68Ｌpがシリンダヘッド33の合せ面33ｓ近傍の外周面に周設された環状弾性部材95に上下から嵌合するようにしてシリンダヘッド33とシリンダ32を上下から覆い、互いの割り面を合わせて、両者を結合部68Ｕc，68Ｌcで結合して合体する。
【００４９】
図１２に示すように、上下シュラウド68Ｕ，68Ｌのヘッド貫通開口部68Ｕp，68Ｌpは、シリンダヘッド33の合せ面33ｓ近傍の外周面に周設された環状弾性部材95に嵌合して略覆ってしまう。
上下シュラウド68Ｕ，68Ｌにおけるヘッド貫通開口部68Ｕp，68Ｌpの左側部68Ｕpl，68Ｌplは、環状弾性部材95の左側部に似た形状をしており、中央部内側に凹部68ｈが形成される。
【００５０】
シリンダヘッド33の合せ面33ｓの加工用凹部33ｖの外側は、環状弾性部材95の切欠き凹部95ｈとともに、図１２に示す前面視で、上下シュラウド68Ｕ，68Ｌの凹部68ｈが位置して空間が形成される。
なお、環状弾性部材95は、左側辺の中央の切欠き凹部95ｈが上下両側から中央に向かって切欠き幅ｗが狭くなるように傾斜面95ｓ，95ｓを有しているので、上下シュラウド68Ｕ，68Ｌのヘッド貫通開口部68Ｕp，68Ｌpに挟まれて外力を受けても、薄肉部95lcの中央を加工用凹部33ｖから離れる外側に移動するように屈曲変形する。
【００５１】
したがって、上下シュラウド68Ｕ，68Ｌのヘッド貫通開口部68Ｕp，68Ｌpは、シリンダヘッド33の合せ面33ｓ近傍の外周面との間に環状弾性部材95が介装されて概ねシールされるが、一部環状弾性部材95の切欠き凹部95ｈがヘッド貫通開口部68Ｕp，68Ｌpの凹部68ｈとともに外部と連通している。
ただし、シリンダヘッド33の加工用凹部33ｖに嵌合されるヘッドカバーガスケット47のプラグ部47ｐにより、ヘッド貫通開口部68Ｕp，68Ｌpの凹部68ｈは幾らか塞がれる。
この環状弾性部材95が介装されることで、内燃機関30の駆動による振動を吸収して上下シュラウド68Ｕ，68Ｌのガタつきを防止して騒音の発生を抑制することができる。
【００５２】
こうして内燃機関30のシリンダ32およびシリンダヘッド33の周囲を覆う上下シュラウド68Ｕ，68Ｌは、上側壁、下側壁、左側壁がシリンダヘッド33とシリンダ32の側面に沿って後方に延出するが、右側壁はシリンダヘッド33とシリンダ32から徐々に離れるように大きく右方に膨出して前記ファンカバー67に連結される（図２，図１２参照）。
【００５３】
なお、ファンカバー67は、クランク軸40を中心軸とする環状フレーム67ａの周縁の前部が上下シュラウド68Ｕ，68Ｌの右側壁の後端縁とねじ120により螺着連結され、環状フレーム67ａの周縁の前部以外の部分が右ユニットケース31Ｒの右端縁にボルト121により螺着して固定されるので、ファンカバー67は上下シュラウド68Ｕ，68Ｌの延長部材に相当し、右側壁に強制空冷ファン66に対向して冷却風入口67ｉが設けられている（図２参照）。
【００５４】
他方、下側シュラウド68Ｌの左側壁には、下半部の後方寄りに冷却風出口68ｅが開口しており、同冷却風出口68ｅに排風ダクト69の前端が連結される（図１，図２，図１２参照）。
排風ダクト69は、下側シュラウド68Ｌの左側壁の冷却風出口68ｅから左方に延出した後、後方斜め下向きに屈曲して外気導入ダクト150の下端面に沿って延出し、後端排風口69ｅに至る（図１参照）。
【００５５】
シリンダ32およびシリンダヘッド33を囲繞する上下シュラウド68Ｕ，68Ｌは、右方に膨出する右側壁の後方への延長であるファンカバー67に冷却風入口67ｉが設けられ、この右側壁に対向する左側壁に冷却風出口68ｅが形成されているので、図２を参照して、クランク軸の回転と一体の強制空冷ファン66の回転により冷却風入口67ｉから吸入された冷却風は、湾曲した右側壁により斜め前方に導かれながらシリンダ32とシリンダヘッド33の周りを左方に流れることでシリンダ32とシリンダヘッド33を強制冷却し、上下シュラウド68Ｕ，68Ｌのヘッド貫通開口部68Ｕp，68Ｌpを環状弾性部材95により概ねシールしているので、冷却した空気は向きを変えることなく、そのまま左側壁の冷却風出口68ｅに流出し、排風ダクト69により後方斜め下向きに案内されて後端排風口69ｅから排出される。
【００５６】
なお、上下シュラウド68Ｕ，68Ｌのヘッド貫通開口部68Ｕp，68Ｌpの環状弾性部材95によるシールは完全でなく、ヘッド貫通開口部68Ｕp，68Ｌpの左側の凹部68ｈの内面とヘッドカバーガスケット47のプラグ部47ｐとの間はシールされず、隙間から冷却風の漏れが懸念されるが、該隙間は冷却風の流れのシリンダヘッド33の下流側（左側）にあって内燃機関の冷却性能に大きく影響しない。
【００５７】
しかし、熱風の漏れでボディで囲まれるエンジンルーム内の温度を上げないため、シリンダヘッドカバー34とともにヘッドカバーガスケット47を上下シュラウド68Ｕ，68Ｌのヘッド貫通開口部68Ｕp，68Ｌpを貫通してシリンダヘッド33に組み付けることが可能な範囲で、凹部68ｈの内面とヘッドカバーガスケット47のプラグ部47ｐとの間の隙間を極力小さく設定する。
【００５８】
一方、環状弾性部材95は、上下シュラウド68Ｕ，68Ｌ内に隠れてシリンダヘッドカバー34とともにヘッドカバーガスケット47を組み付けるときに目視できないため、環状弾性部材95の切欠き凹部95ｈの内面とヘッドカバーガスケット47のプラグ部47ｐとの間の隙間は、組付け容易性を優先して上下シュラウド68Ｕ，68Ｌの凹部68ｈの内面とヘッドカバーガスケット47のプラグ部47ｐとの間の隙間より大きく設定する。
【００５９】
このように強制空冷ファン66による冷却風をシリンダ32とシリンダヘッド33に案内する上下シュラウド68Ｕ，68Ｌは、前記したようにシリンダ32とシリンダヘッド33を覆って取り付けられた状態で、図１２の前面視で示すように、シリンダヘッド33の合せ面33ｓの加工用凹部33ｖの外側は、環状弾性部材95の切欠き凹部95ｈと上下シュラウド68Ｕ，68Ｌの凹部68ｈが位置して空間が形成されるので、シリンダヘッドカバー34をヘッドカバーガスケット47とともにシリンダヘッド33に取り付ける際に、ヘッドカバーガスケット47のプラグ部47ｐを、環状弾性部材95の薄肉部95lcが邪魔することなく、合せ面33ｓの加工用凹部33ｖに嵌合することが容易にできる。
【００６０】
すなわち、組立時やメンテナンス時などで、上下シュラウド68Ｕ，68Ｌをシリンダヘッド33およびシリンダ32に取り付けたまま、シリンダヘッドカバー34を組付けようとする際に、シリンダヘッド33の合せ面33ｓの加工用凹部33ｖに対向して環状弾性部材95の切欠き凹部95ｈが位置し、環状弾性部材95の薄肉部95lcが加工用凹部33ｖから離れて維持され、薄肉部95lcが加工用凹部に接したり入り込んだりしないため、シリンダヘッドカバー34に取り付けられたヘッドカバーガスケット47のプラグ部47ｐが環状弾性部材95に邪魔されずにシリンダヘッド33の合せ面33ｓの加工用凹部33ｖに嵌合でき、シリンダヘッドカバー34をシリンダヘッド33に容易に組付けることができる。
【００６１】
なお、ヘッドカバーガスケット47のプラグ部47ｐは、内側に金属器48が嵌合して形状が維持されるので、シリンダヘッド33の加工用凹部33ｖに嵌合する際に変形することなく容易に嵌合でき、プラグ部47ｐにおける半円形筒部47psの内外端のフランジ47pf，47pfが加工用凹部33ｖの半円弧面の両側を挟むようにして位置決めして、プラグ部47ｐを加工用凹部33ｖに確実に嵌合できる。
【図面の簡単な説明】
【００６２】
【図１】本発明の一実施の形態に係るパワーユニットの側面図である。
【図２】同パワーユニットの前側部分の断面図（図１のII-II線断面図）である。
【図３】同パワーユニットの前側部分の断面図（図２のIII-III線断面図）である。
【図４】シリンダヘッドの平面図である。
【図５】同左側面図（図４のＶ矢視図）である。
【図６】環状弾性部材の平面図である。
【図７】図６のVII−VII線断面図である。
【図８】図６のVIII−VIII線断面図である。
【図９】図６のIX−IX線断面図である。
【図１０】図６のＸ−Ｘ線断面図である。
【図１１】シリンダヘッドに環状弾性部材を周設した状態を示す前面図である。
【図１２】シリンダヘッドカバーが取り付けられる前のシリンダとシリンダヘッドにシュラウドが被せられた状態を前面から視た前面図である。
【図１３】ヘッドカバーガスケットの平面図である。
【図１４】内燃機関の前部のシリンダヘッドカバーとヘッドカバーガスケットを分解した分解側面図である。
【図１５】同断面図である。
【符号の説明】
【００６３】
10…パワーユニット、30…内燃機関、31…ユニットケース、32…シリンダ、
33…シリンダヘッド、33ｓ…合せ面、33ｖ…加工用凹部、34…シリンダヘッドカバー、  35…ベルト式無段変速機、36…伝動ケースカバー、40…クランク軸、66…強制空冷ファン、67…ファンカバー、67ｉ…冷却風入口、
68…シュラウド、68Ｕ…上側シュラウド、68Ｌ…下側シュラウド、68Ｕp，68Ｌp…ヘッド貫通開口部、68ｅ…冷却風出口、69…排風ダクト、69ｅ…後端排風口、
95…環状弾性部材、95ｈ…切欠き凹部、95lc…薄肉部、95ｓ…傾斜面、95lu…左側上部、95ll…左側下部。
【図１】
0004749400.tif 000002
【図２】
0004749400.tif 000003
【図３】
0004749400.tif 000004
【図４】
0004749400.tif 000005
【図５】
0004749400.tif 000006
【図６】
0004749400.tif 000007
【図７】
0004749400.tif 000008
【図８】
0004749400.tif 000009
【図９】
0004749400.tif 000010
【図１０】
0004749400.tif 000011
【図１１】
0004749400.tif 000012
【図１２】
0004749400.tif 000013
【図１３】
0004749400.tif 000014
【図１４】
0004749400.tif 000015
【図１５】
0004749400.tif 000016